Podtech/llm-jp-corpus-v4-ja_patent huggingface dataset:
【手続補正書】
【提出日】令和2年1月30日(2020.1.30)
【手続補正１】
【補正対象書類名】明細書
【補正対象項目名】００１２
【補正方法】変更
【補正の内容】
【００１２】
上記の課題を達成するため、この発明は、ころ大端面を有する円すいころと、前記ころ大端面と摺接する大鍔面を有する内輪と、を備える円すいころ軸受において、前記大鍔面の算術平均粗さＲａは０．１μｍ≦Ｒａ≦０．２μｍであり、前記大鍔面の粗さ曲線のスキューネスＲｓｋは−１．０≦Ｒｓｋ≦−０．３であり、前記大鍔面の粗さ曲線のクルトシスＲｋｕは３．０≦Ｒｋｕ≦５．０である構成を採用した。
【手続補正２】
【補正対象書類名】明細書
【補正対象項目名】００１４
【補正方法】変更
【補正の内容】
【００１４】
上記構成によれば、内輪の大鍔面の算術平均粗さＲａを０．１〜０．２μｍの範囲にしているので、円すいころ軸受の低速回転時：０〜２００（ｒ／ｍｉｎ）の範囲における回転トルクを安定化させるのに好適な特性となる。これだけでは、耐焼付き性が超仕上げ水準の粗さより劣ってしまうため、この発明では、さらに、大鍔面の粗さ曲線の表面性状の特性を規定する。
すなわち、粗さ曲線のスキューネスＲｓｋ＜０の場合、平均線に対して上側に偏っている特性になるので、大鍔面のＲｓｋをマイナスの数値範囲にすることにより、大鍔面が平面を有する特性になり、油膜形成に有利に働く表面性状となる。そこで、大鍔面の粗さ曲線のスキューネスＲｓｋは、−１．０〜−０．３とする。
さらに、粗さ曲線のクルトシスＲｋｕが３より小さい場合、表面凸凹の高さ分布がつぶれているような形状となるが、回転トルクの安定化を図るためには粗さの突起も必要となる。そこで、大鍔面の粗さ曲線のクルトシスＲｋｕは、３．０〜５．０とする。
前述のＲａ、Ｒｓｋ及びＲｋｕの範囲とした特性バランスの大鍔面にすれば、低速回転時の回転トルクの安定性と、大鍔面ところ大端面間の耐焼付き性との両立を実現することができる。
【手続補正３】
【補正対象書類名】明細書
【補正対象項目名】００３０
【補正方法】変更
【補正の内容】
【００３０】
大鍔面１２の粗さ曲線のスキューネスＲｓｋは、−１．０≦Ｒｓｋ≦−０．３である。ここで、粗さ曲線のスキューネスＲｓｋは、日本工業規格（ＪＩＳ）  Ｂ０６０１：２０１３の４．２．３で規定される粗さ曲線のスキューネスＲｓｋのことである。粗さ曲線のスキューネスＲｓｋは、次の式（１）によって定義されるものである。
【手続補正４】
【補正対象書類名】明細書
【補正対象項目名】００３２
【補正方法】変更
【補正の内容】
【００３２】
粗さ曲線のスキューネスＲｓｋは、式（１）に示すように、断面曲線の二乗平均平方根粗さＲｑの三乗によって無次元化した基準長さにおけるＺ（ｘ）の三乗平均である。粗さ曲線のスキューネスＲｓｋは、輪郭曲線の確率密度関数の非対称性の度合いを示す数値であり、突出した山又は谷の影響を強く受けるパラメータである。図５に、スキューネスＲｓｋ＞０を満足する粗さ曲線と、スキューネスＲｓｋ＜０を満足する粗さ曲線を例示する。これら両粗さ曲線の比較から明らかなように、スキューネスＲｓｋ＜０の場合、突出した山が比較的に少ない傾向の表面性状となるので、油膜が破れにくくなり、焼付きの防止に有利である。ただし、スキューネスＲｓｋの負の値が大きくなる程、谷の幅が広がり、突出した山が比較的に少ない傾向の表面（円すいころ軸受においては、ころの大端面と接触する内輪の大鍔面）が断続的となり、当該表面と谷との境界部分で応力集中が生じてしまうので、油膜形成が阻害される。図２に示す大鍔面１２の粗さ曲線のスキューネスＲｓｋを−１．０〜−０．３とすることにより、大鍔面１２が平面を有する特性になり、油膜形成に有利に働く表面性状となる。
【手続補正５】
【補正対象書類名】明細書
【補正対象項目名】００３７
【補正方法】変更
【補正の内容】
【００３７】
この円すいころ軸受１は、算術平均粗さＲａ：０．１〜０．２μｍ、粗さ曲線のスキューネスＲｓｋ：−１．０〜−０．３、及び粗さ曲線のクルトシスＲｋｕ：３．０〜５．０の範囲にある特性バランスの大鍔面１２を採用しているので、低速回転時の回転トルクの安定性と、大鍔面１２ところ大端面３３間の耐焼付き性とを両立させることができる。
【手続補正６】
【補正対象書類名】明細書
【補正対象項目名】００５３
【補正方法】変更
【補正の内容】
【００５３】
図８に示すように、大鍔面における算術平均粗さＲａが０．０５の場合、大鍔面が特に滑らかな表面性状に仕上げられているので、大鍔面における粗さ曲線のスキューネスＲｓｋが−１．０≦Ｒｓｋ≦−０．３の範囲にあるか否かを問わず、また、粗さ曲線のクルトシスＲｋｕが３．０≦Ｒｋｕ≦５．０の範囲にあるか否かを問わず、耐焼付き性が特に良好になる一方、トルクの安定性が特に悪くなることが分かる。
【手続補正７】
【補正対象書類名】明細書
【補正対象項目名】００５５
【補正方法】変更
【補正の内容】
【００５５】
図１１に示すように、大鍔面における算術平均粗さＲａが０．２５の場合、大鍔面が特に粗い表面性状になり、大鍔面における粗さ曲線のスキューネスＲｓｋが−１．０≦Ｒｓｋ≦−０．３の範囲にあるか否かを問わず、また、粗さ曲線のクルトシスＲｋｕが３．０≦Ｒｋｕ≦５．０の範囲にあるか否かを問わず、耐焼付き性が特に悪くなる一方、トルクの安定性が特に良くなることが分かる。
【手続補正８】
【補正対象書類名】明細書
【補正対象項目名】００５６
【補正方法】変更
【補正の内容】
【００５６】
図８〜図１１の評価結果を総合すると、大鍔面の算術平均粗さＲａは０．１μｍ≦Ｒａ≦０．２μｍである場合、大鍔面の粗さ曲線のスキューネスＲｓｋが−１．０≦Ｒｓｋ≦−０．３であり、かつ大鍔面の粗さ曲線のクルトシスＲｋｕが３．０≦Ｒｋｕ≦５．０であれば、耐焼付き性とトルクの安定性の両立を図ることが可能であると分かる。
【手続補正９】
【補正対象書類名】特許請求の範囲
【補正対象項目名】請求項１
【補正方法】変更
【補正の内容】
【請求項１】
ころ大端面を有する円すいころと、
前記ころ大端面と摺接する大鍔面を有する内輪と、を備える円すいころ軸受において、
前記大鍔面の算術平均粗さＲａは０．１μｍ≦Ｒａ≦０．２μｍであり、
前記大鍔面の粗さ曲線のスキューネスＲｓｋは−１．０≦Ｒｓｋ≦−０．３であり、
前記大鍔面の粗さ曲線のクルトシスＲｋｕは３．０≦Ｒｋｕ≦５．０であることを特徴とする円すいころ軸受。
【手続補正書】
【提出日】令和2年2月12日(2020.2.12)
【手続補正１】
【補正対象書類名】明細書
【補正対象項目名】００３９
【補正方法】変更
【補正の内容】
【００３９】
＜実施例１＞
等モルのＴＭＡとＭＤＩとを、ＮＭＰ２０質量部とテトラグライム６０質量部とからなる混合溶媒中で重合して、ＰＡＩ固形分濃度が２０質量％であるＰＡＩ溶液（Ｓ−１）を得た。このＰＡＩのＤＳＣによるガラス転移温度は２８０℃であり、ＧＰＣによる重量平均分子量（Ｍｗ）は、６８９００であった。Ｓ−１に、テトラグライム４０質量部を添加し、ＰＡＩ固形分濃度を１４．３質量％、溶媒質量に対するＮＭＰ比率を１６．７質量％とした均一なＰＡＩ溶液を得た。このＰＡＩ溶液を前記正極活物質層の外表面に塗布し、乾燥空気中、１５０℃で１０分乾燥することにより、厚みが１８μｍ、気孔率が６４体積％のＰＡＩ多孔質被膜（Ａ−１）を形成させた。Ａ−１の浸透時間を測定したところ、４６秒であった。
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
特定ドメインの概念構造を表す概念構造情報に基づいて、前記特定ドメインと認識対象の候補との関連度を生成する生成手段と、
前記生成手段により生成された関連度に基づいて、前記認識対象の候補から認識対象を選択する選択手段と、
前記選択手段により選択された認識対象に係る学習データを用いて認識器を学習する学習手段と、
を有することを特徴とする認識学習装置。
【請求項２】
前記生成手段は、前記概念構造情報における前記認識対象の候補の階層に基づいて前記関連度を生成することを特徴とする請求項１に記載の認識学習装置。
【請求項３】
前記生成手段は、更に前記概念構造情報における前記認識対象の候補の発生頻度に基づいて前記関連度を生成することを特徴とする請求項２に記載の認識学習装置。
【請求項４】
前記生成手段は、前記概念構造情報における前記認識対象の候補より下位階層の概念情報の数に基づいて前記関連度を生成することを特徴とする請求項１に記載の認識学習装置。
【請求項５】
前記選択手段により選択された前記認識対象を前記概念構造情報に重畳した可視化情報を生成する可視化手段を更に有することを特徴とする請求項１から４のいずれか１項に記載の認識学習装置。
【請求項６】
前記可視化手段は、前記選択手段により選択された認識対象それぞれに対する前記認識器の認識精度を算出し、当該算出した認識精度を前記可視化情報として生成することを特徴とする請求項５に記載の認識学習装置。
【請求項７】
前記可視化手段により生成された可視化情報に対するユーザの操作に応じて、前記認識対象を更新する更新手段を更に有し、
前記学習手段は、前記更新手段により更新された認識対象に係る学習データを用いて前記認識器を再度学習することを特徴とする請求項５または６に記載の認識学習装置。
【請求項８】
前記可視化手段は、前記認識対象それぞれの動画像データを前記可視化情報として生成し、
前記可視化手段により生成された可視化情報に対するユーザの指示に応じて、前記認識対象に係る学習データに追加または削除を行う編集手段を更に有することを特徴とする請求項５から７のいずれか１項に記載の認識学習装置。
【請求項９】
前記学習手段は、前記関連度に基づいて選択された前記認識対象の重要度を示す重要度情報を生成し、当該生成した前記重要度情報に基づいて学習することを特徴とする請求項１から請求項８のいずれか１項に記載の認識学習装置。
【請求項１０】
文章データから前記特定のドメインに関する前記概念構造情報を生成する概念構造生成手段を更に有し、
前記生成手段は、前記概念構造生成手段により生成された概念構造情報に基づいて、前記特定ドメインと前記認識対象の候補との前記関連度を生成することを特徴とする請求項１から請求項９のいずれか１項に記載の認識学習装置。
【請求項１１】
ユーザの入力に応じて、前記特定のドメイン、特定の利用者、特定のユースケースの少なくとも１つに対して構築された前記概念構造情報を選択する概念情報選択手段を更に有することを特徴とする請求項１から１０のいずれか１項に記載の認識学習装置。
【請求項１２】
前記概念構造情報として、オントロジー情報を用いることを特徴とする請求項１から１１のいずれか１項に記載の認識学習装置。
【請求項１３】
特定ドメインの概念構造を表す概念構造情報に基づいて、前記特定ドメインと認識対象の候補との関連度を生成するステップと、
前記生成された関連度に基づいて、前記認識対象の候補から認識対象を選択するステップと、
前記選択された認識対象に係る学習データを用いて認識器を学習するステップと、
を有することを特徴とする認識学習方法。
【請求項１４】
コンピュータを、請求項１から１２のいずれか１項に記載の認識学習装置として機能させるためのプログラム。
【手続補正２】
【補正対象書類名】明細書
【補正対象項目名】００１０
【補正方法】変更
【補正の内容】
【００１０】
上記課題を解決するために、本発明の認識学習装置は、特定ドメインの概念構造を表すオントロジー情報に基づいて、前記特定ドメインと認識対象の候補との関連度を生成する生成手段と、前記生成手段により生成された関連度に基づいて、前記認識対象の候補から認識対象を選択する選択手段と、前記選択手段により選択された認識対象に係る学習データを用いて認識器を学習する学習手段と、を有することを特徴とする。
【手続補正書】
【提出日】令和2年1月6日(2020.1.6)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
第１のトランジスタと、
前記第１のトランジスタ上に位置し、酸素及び水素に対してバリア性を有する第１の絶縁体と、
前記第１の絶縁体上に位置し、酸化物半導体を有する第２のトランジスタと、
前記第２のトランジスタ上に位置し、過剰酸素領域を有する第２の絶縁体と、
前記第２の絶縁体上の容量素子と、を有し、
前記容量素子は、一対の電極の間に、誘電体として、酸素及び水素に対してバリア性を有する第３の絶縁体を有し、
前記第２のトランジスタが設けられた領域の外縁において、前記第２の絶縁体及び前記第１の絶縁体に設けられた開口を介して、前記第３の絶縁体は、前記第１の絶縁体と接する領域を有し、
前記第２のトランジスタは、前記第１の絶縁体、前記第２の絶縁体及び前記第３の絶縁体により包み込まれていることを特徴とする半導体装置。
【請求項２】
請求項１において、
前記第１の絶縁体及び前記第３の絶縁体は、酸化アルミニウムであることを特徴とする半導体装置。
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
先端側にブラシ部が植設される植毛面を有するヘッド部と、
前記ヘッド部より後端側に配置されるハンドル部と、
前記ヘッド部と前記ハンドル部を接続するネック部と、
を有し、
前記ネック部は、当該ネック部の延在方向に延びる硬質樹脂で形成された硬質部材を内部に収容し、軟質樹脂により被覆される領域を有し、
前記ネック部における前記硬質部材の前記植毛面と直交する第１の方向の幅は、前記植毛面と平行で前記延在方向と直交する第２の方向の幅よりも大きく、
前記ネック部は、前記ブラシ部を押し当てる際に力が加えられる前記第１方向の力に対してよりも前記第２方向の力に対して変形しやすいことを特徴とする歯ブラシ。
【請求項２】
前記硬質部材の、前記ネック部の前記延在方向における中央部分の前記延在方向と直交する切断面の面積に対する割合は、５％以上、５０％未満であることを特徴とする請求項１に記載の歯ブラシ。
【請求項３】
前記硬質部材の前記切断面の断面形状は、楕円、長円、長方形、菱形、星型のいずれかであることを特徴とする請求項２に記載の歯ブラシ。
【請求項４】
前記硬質部材は、前記延在方向に延びる第１の部分を有し、
前記第２の方向の前記第１の部分の幅は、１．５ｍｍ以上、２．０ｍｍ以下であることを特徴とする請求項１ないし３のうち、いずれか１項記載の歯ブラシ。
【請求項５】
前記硬質部材は、前記延在方向に延びる第１の部分を有し、
前記第１の方向の前記第１の部分の幅は、１．５ｍｍ以上、３．０ｍｍ以下であることを特徴とする請求項１ないし４のうち、いずれか１項記載の歯ブラシ。
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
先端側に植毛面を有するヘッド部と、
前記ヘッド部より後端側に配置されるハンドル部と、
前記ヘッド部と前記ハンドル部を接続するネック部と、
を有し、
前記ネック部は、当該ネック部の延在方向に延びる硬質樹脂で形成された硬質部材を内部に収容し、軟質樹脂により被覆される領域を有し、
前記硬質部材の後端側の端部は、前記ハンドル部の先端側に位置し、
前記ハンドル部は、前記先端側で前記硬質部材の後端側の端部が前記軟質樹脂で収容されるとともに、前記硬質部材の後端側の端部よりも後端側が全て前記軟質樹脂で形成され、
前記後端側から前記先端側に向かう方向に外力が加えられたときに前記ハンドル部が曲がることを特徴とする歯ブラシ。
【請求項２】
前記硬質部材の、前記ネック部の前記延在方向における中央部分の前記延在方向と直交する切断面の面積に対する割合は、５％以上、５０％未満であることを特徴とする請求項１に記載の歯ブラシ。
【請求項３】
前記ネック部は、前記延在方向に延びる軸線を中心とする周方向全域で前記軟質樹脂により前記硬質部材が非露出状態で覆われる領域を有することを特徴とする請求項１または２に記載の歯ブラシ。
【請求項４】
前記硬質部材は、前記延在方向の後端側に、前記軸線を中心として周方向に露出して突出する複数の突出部を有することを特徴とする請求項３に記載の歯ブラシ。
【請求項５】
前記硬質部材は、前記突出部から前記後端側に向かうにつれて、断面形状が小さくなることを特徴とする請求項４に記載の歯ブラシ。
【請求項６】
前記後端側から前記先端側に向かう方向に外力が加えられたときに、前記ネック部及び前記ハンドル部の双方が曲がることを特徴とする請求項１ないし５のうち、いずれか１項記載の歯ブラシ。
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
対をなす雄部材および雌部材を備えたジッパーテープであって、
少なくとも一部に、波長吸収域が８００ｎｍ以上１２００ｎｍ以下の吸光材料が含有され、
前記雄部材は、少なくとも２層以上の積層構造である雄側帯状基部および前記雄側帯状基部の一面に設けられた雄部を備え、
前記雌部材は、少なくとも２層以上の積層構造である雌側帯状基部および前記雌側帯状基部の一面に設けられ前記雄部と係合可能な雌部を備え、
前記雄側帯状基部および前記雌側帯状基部の少なくともいずれか一方は、前記雄部および前記雌部と一体的に形成される基体部と、前記基体部以外の少なくとも１層に設けられ、前記吸光材料が含有された吸光接合層とを備え、
前記吸光接合層は、前記吸光材料が樹脂組成物に含有されて形成されており、
前記吸光材料はカーボンブラックを含む
ことを特徴とするジッパーテープ。
【請求項２】
請求項１に記載のジッパーテープにおいて、
前記樹脂組成物は、メタロセン系オレフィンを主成分とする
ことを特徴とするジッパーテープ。
【請求項３】
請求項１または請求項２に記載のジッパーテープにおいて、
前記樹脂組成物は、メタロセン系直鎖状低密度ポリエチレンを主成分とする
ことを特徴とするジッパーテープ。
【請求項４】
請求項３に記載のジッパーテープにおいて、
前記メタロセン系直鎖状低密度ポリエチレンが、前記吸光接合層において５０質量％以上含有されている
ことを特徴とするジッパーテープ。
【請求項５】
請求項３または請求項４に記載のジッパーテープにおいて、
前記メタロセン系直鎖状低密度ポリエチレンは、メルトフローレートが５ｇ／１０分以下である
ことを特徴とするジッパーテープ。
【請求項６】
請求項５に記載のジッパーテープにおいて、
前記メタロセン系直鎖状低密度ポリエチレンは、密度が９２０ｋｇ／ｍ３以下である
ことを特徴とするジッパーテープ。
【請求項７】
請求項６に記載のジッパーテープにおいて、
前記メルトフローレートが１ｇ／１０分以上５ｇ／１０分以下、前記密度が８５０ｋｇ／ｍ３以上９１０ｋｇ／ｍ３以下である
ことを特徴とするジッパーテープ。
【請求項８】
フィルムが重ね合わされた袋本体と、
この袋本体の内面に取り付けられた請求項１から請求項７までのいずれか一項に記載のジッパーテープと、
を具備したことを特徴とするジッパーテープ付袋体。
【請求項９】
請求項１から請求項７までのいずれか一項に記載のジッパーテープをフィルムに取り付けてジッパーテープ付袋体を製造する製造方法であって、
前記ジッパーテープに８００ｎｍ以上１２００ｎｍ以下のエネルギー線を照射する照射工程と、
前記照射工程で溶融された前記ジッパーテープの前記エネルギー線が照射された部分に前記フィルムを圧着させる接合工程と、を実施する
ことを特徴とするジッパーテープ付袋体の製造方法。
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
予め定められた確率で内部当籤役を決定する内部当籤役決定手段と、
複数の表示列によって構成され、遊技に必要な図柄を変動表示する変動表示手段と、
遊技者による停止操作の検出を行う停止操作検出手段と、
前記内部当籤役決定手段の決定結果と前記停止操作検出手段による停止操作の検出とに基づいて、前記図柄の変動表示を停止させる停止制御手段と、
遊技者にとって有利な情報を報知可能な報知手段と、を備え、
遊技者にとって有利な情報を報知可能な遊技状態として、第１の遊技状態と前記第１の遊技状態と有利の度合いが異なる第２の遊技状態とが設けられ、前記第１の遊技状態と前記第２の遊技状態との間では相互に移行可能であり、
前記第２の遊技状態中に、遊技者が特典を獲得することが可能な特典獲得演出が実行可能であり、
前記特典獲得演出を行う遊技において、特典獲得条件を満たすと、前記特典として、前記第１の遊技状態の遊技期間の上乗せが獲得可能である
ことを特徴とする遊技機。
【請求項２】
前記特典獲得条件は、前記特典獲得演出を行う遊技において、前記複数の表示列のうち少なくとも１つの表示列に対する停止操作が所定の停止操作態様によって行われることである
ことを特徴とする請求項１に記載の遊技機。
【請求項３】
前記特典獲得演出を行う遊技は、前記内部当籤役決定手段により決定された内部当籤役が所定の内部当籤役である場合に実行可能である
ことを特徴とする請求項１又は２に記載の遊技機。
【請求項４】
前記第２の遊技状態の終了条件は、遊技価値の付与数が所定数を超えることである
ことを特徴とする請求項１〜３のいずれか一項に記載の遊技機。
【請求項５】
前記第２の遊技状態の終了条件は、所定の単位遊技数の単位遊技が消化されることである
ことを特徴とする請求項１〜３のいずれか一項に記載の遊技機。
【手続補正２】
【補正対象書類名】明細書
【補正対象項目名】０００５
【補正方法】変更
【補正の内容】
【０００５】
また、従来、ＡＴ及びＲＴの両方が同時に作動する機能（以下、「ＡＲＴ」という）を備えた遊技機が存在する（例えば特許文献１参照）。特許文献１には、通常状態の遊技からＡＲＴ状態の遊技への移行過程において、擬似ボーナスと称する高ＲＴの遊技区間を設け、擬似ボーナスの遊技期間において、ＡＲＴ状態の遊技数（ＡＲＴゲーム数）の上乗せ抽籤を行う技術が記載されている。
【手続補正３】
【補正対象書類名】明細書
【補正対象項目名】０００６
【補正方法】変更
【補正の内容】
【０００６】
【特許文献１】特開２０１４−４２６５８号公報
【手続補正４】
【補正対象書類名】明細書
【補正対象項目名】０００７
【補正方法】変更
【補正の内容】
【０００７】
上述のように、従来、例えばＡＲＴ状態等の遊技者にとって有利な特定遊技状態の遊技に関する特典（例えば、上記特許文献１ではＡＲＴゲーム数の上乗せ）を付与可能にする特別な遊技状態（例えば、上記特許文献１では擬似ボーナスの遊技期間）が、特定遊技状態とは別個に設けられた遊技機が知られている。そして、本技術分野では、このような特別な遊技状態の遊技に対する遊技者の興趣をさらに高めることが可能な遊技機が求められている。
【手続補正５】
【補正対象書類名】明細書
【補正対象項目名】０００８
【補正方法】変更
【補正の内容】
【０００８】
本発明は上記要望に応えるためになされたものであり、本発明の目的は、遊技者に有利な特定遊技状態の遊技に関する特典を付与可能な特別な遊技状態が、特定遊技状態とは別個に設けられた遊技機において、特別な遊技状態の遊技に対する遊技者の興趣をさらに高めることが可能な技術を提供することである。
【手続補正６】
【補正対象書類名】明細書
【補正対象項目名】００１０
【補正方法】変更
【補正の内容】
【００１０】
予め定められた確率で内部当籤役を決定する内部当籤役決定手段（例えば、後述の内部抽籤処理）と、
複数の表示列によって構成され、遊技に必要な図柄を変動表示する変動表示手段（例えば、後述の３つのリール３Ｌ，３Ｃ，３Ｒ及び３つのステッピングモータ）と、
遊技者による停止操作の検出を行う停止操作検出手段（例えば、後述のストップスイッチ基板８０）と、
前記内部当籤役決定手段の決定結果と前記停止操作検出手段による停止操作の検出とに基づいて、前記図柄の変動表示を停止させる停止制御手段（例えば、後述のリール停止制御処理）と、
遊技者にとって有利な情報を報知可能な報知手段（例えば、後述の液晶表示装置１１）と、を備え、
遊技者にとって有利な情報を報知可能な遊技状態として、第１の遊技状態（例えば、後述のＡＲＴ状態）と前記第１の遊技状態と有利の度合いが異なる第２の遊技状態（例えば、後述のＢＢ状態）とが設けられ、前記第１の遊技状態と前記第２の遊技状態との間では相互に移行可能であり、
前記第２の遊技状態中に、遊技者が特典を獲得することが可能な特典獲得演出（例えば、後述のＪＲ演出）が実行可能であり、
前記特典獲得演出を行う遊技において、特典獲得条件を満たすと、前記特典として、前記第１の遊技状態の遊技期間の上乗せが獲得可能である
ことを特徴とする遊技機。
【手続補正７】
【補正対象書類名】明細書
【補正対象項目名】００１１
【補正方法】変更
【補正の内容】
【００１１】
また、前記本発明の遊技機では、前記特典獲得条件は、前記特典獲得演出を行う遊技において、前記複数の表示列のうち少なくとも１つの表示列に対する停止操作が所定の停止操作態様によって行われることであるようにしてもよい。
また、前記本発明の遊技機では、前記特典獲得演出を行う遊技は、前記内部当籤役決定手段により決定された内部当籤役が所定の内部当籤役である場合に実行可能であるようにしてもよい。
また、前記本発明の遊技機では、前記第２の遊技状態の終了条件は、遊技価値の付与数が所定数を超えることであるようにしてもよい。
さらに、前記本発明の遊技機では、前記第２の遊技状態の終了条件は、所定の単位遊技数の単位遊技が消化されることであるようにしてもよい。
【手続補正８】
【補正対象書類名】明細書
【補正対象項目名】００１２
【補正方法】変更
【補正の内容】
【００１２】
上記構成の本発明の遊技機によれば、遊技者に有利な特定遊技状態（第１の遊技状態）の遊技に関する特典を付与可能な特別な遊技状態（第２の遊技状態）が、特定遊技状態とは別個に設けられた遊技機において、特別な遊技状態の遊技に対する遊技者の興趣をさらに高めることができる。
【手続補正書】
【提出日】令和2年6月1日(2020.6.1)
【手続補正１】
【補正対象書類名】特許請求の範囲
【補正対象項目名】請求項１
【補正方法】変更
【補正の内容】
【請求項１】
環状の固定子（７０１）、前記固定子の内側に設けられた回転子（７０２）、及び前記固定子及び前記回転子を収容したハウジング（７０３）、を有する回転電機（３）と、
前記回転電機に供給される電力を直流電力から交流電力に変換する電力変換装置（５）と、を備え、
前記電力変換装置は、上下アーム回路（１０）を構成する半導体装置（２０，２０Ｕ，２０Ｌ）を含んで構成され、且つ前記ハウジングに個別に取り付けられた複数のパワーモジュール（１１０）を有しており、
前記ハウジングは、
冷媒が流通するハウジング流路（７１１）と、
前記固定子の外周面に沿って延び、前記ハウジング流路を流れる前記冷媒により前記回転子を冷却する第１冷却部（７１２）と、
前記ハウジング流路を流れる前記冷媒により複数の前記パワーモジュールを冷却する第２冷却部（７１３）と、を有しており、
複数の前記パワーモジュールは、前記第２冷却部に沿って前記回転子の中心線（ＣＬ）の周方向（γ）に並べられており、
前記第２冷却部が、前記ハウジング流路を流れる冷媒を用いて、複数の前記パワーモジュールを、それぞれ、対向する両面から冷却するように構成される、回転電機ユニット（８００）。
【手続補正２】
【補正対象書類名】明細書
【補正対象項目名】０００７
【補正方法】変更
【補正の内容】
【０００７】
第１の態様は、
環状の固定子（７０１）、固定子の内側に設けられた回転子（７０２）、及び固定子及び回転子を収容したハウジング（７０３）、を有する回転電機（３）と、
回転電機に供給される電力を直流電力から交流電力に変換する電力変換装置（５）と、を備え、
電力変換装置は、上下アーム回路（１０）を構成する半導体装置（２０，２０Ｕ，２０Ｌ）を含んで構成され、且つハウジングに個別に取り付けられた複数のパワーモジュール（１１０）を有しており、
ハウジングは、
冷媒が流通するハウジング流路（７１１）と、
固定子の外周面に沿って延び、ハウジング流路を流れる冷媒により回転子を冷却する第１冷却部（７１２）と、
ハウジング流路を流れる冷媒により複数のパワーモジュールを冷却する第２冷却部（７１３）と、を有しており、
複数のパワーモジュールは、第２冷却部に沿って回転子の中心線（ＣＬ）の周方向（γ）に並べられており、
第２冷却部が、ハウジング流路を流れる冷媒を用いて、複数のパワーモジュールを、それぞれ、対向する両面から冷却するように構成される、回転電機ユニット（８００）である。
【手続補正書】
【提出日】令和2年9月24日(2020.9.24)
【手続補正１】
【補正対象書類名】特許請求の範囲
【補正対象項目名】請求項１
【補正方法】変更
【補正の内容】
【請求項１】
電源と出力端子との間に接続される通電用スイッチング（５）素子及びインダクタ（３）の直列回路と、
前記出力端子が天絡した際に、当該端子より電流が逆方向に流れる逆流経路中に配置され、少なくとも１つは同期整流を行うために用いられる１つ以上のスイッチング素子（６，３５）と、
前記出力端子の電圧と目標電圧との偏差に基づく誤差信号を出力する誤差増幅部（１１）と、
前記誤差信号に基づいてＰＷＭ信号を生成し、前記通電用スイッチング素子に出力する信号生成部（１０，３３）と、
前記電源の電圧が閾値電圧Ｖ１よりも低下すると、入力低電圧検出信号を出力する入力低電圧検出部（７）と、
前記出力端子の電圧が閾値電圧Ｖ２よりも上昇すると、出力高電圧検出信号を出力する出力高電圧検出部（８）と、
前記入力低電圧検出信号，又は前記出力高電圧検出信号が出力されると、前記逆流経路中に配置されているスイッチング素子をオフさせて、電流の逆流を防止する逆流防止制御部（１０，３３）とを備え、
前記入力低電圧検出部及び前記出力高電圧検出部は、前記電源の電圧が、前記閾値電圧Ｖ２よりも低い状態から前記閾値電圧Ｖ１を超えて変化する過程において、前記入力低電圧検出信号が出力される期間と前記出力電圧検出信号が出力される期間とを重複させるスイッチング電源装置。
【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
以下を含有する異種二量体抗体：
ａ）以下を含有する第一の単量体：
ｉ）第一のＦｃドメイン；および、
ｉｉ）一本鎖可変領域（ｓｃＦｖ）リンカーによって可変軽鎖ドメインに共有結合された第一の可変重鎖ドメインを有するｓｃＦｖ；
ｂ）以下を含有する第二の単量体：
ｉ）第二のＦｃドメイン；および、
ｉｉ）第二の可変重鎖；ならびに、
ｃ）第二の可変軽鎖を含有する第三の単量体；
ここで、前記第一のＦｃドメインおよび前記第二のＦｃドメインは、Ｌ３６８Ｄ／Ｋ３７０ＳおよびＳ３６４Ｋ／Ｅ３５７Ｑを含有する。
【請求項２】
以下を含有するポリヌクレオチド組成物：
ａ）請求項１に記載の第一の単量体をコードする第一のポリヌクレオチド；
ｂ）請求項１に記載の第二の単量体をコードする第二のポリヌクレオチド；および
ｃ）請求項１に記載の軽鎖をコードする第三のポリヌクレオチド。
【請求項３】
以下を含有する発現ベクター組成物：
ａ）請求項２に記載の第一のポリヌクレオチドを含有する第一の発現ベクター；
ｂ）請求項２に記載の第二のポリヌクレオチドを含有する第二の発現ベクター；および
ｃ）請求項２に記載の第三のポリヌクレオチドを含有する第三の発現ベクター。
【請求項４】
請求項３に記載の発現ベクター組成物を含有する宿主細胞。
【請求項５】
以下を含む、異種二量体抗体を作製する方法：
ａ）請求項２に記載の第一、第二、および第三のポリヌクレオチドを宿主細胞中で発現させる工程であって、第一の単量体、第二の単量体、および軽鎖をそれぞれ産生する、工程；
ｂ）前記単一の単量体、前記第二の単量体、および前記軽鎖をイオン交換カラム上にロードする工程；ならびに
ｃ）異種二量体分画を回収する工程。
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
抗ＣＤ３単鎖可変断片（ｓｃＦｖ）を備える組成物であって、
前記抗ＣＤ３単鎖ｓｃＦｖが、配列番号３９８からなる可変軽鎖ドメインにｓｃＦｖリンカーによって結合された配列番号３９７からなる可変重鎖ドメインを備え、
前記ｓｃＦｖリンカーが、配列番号４４１から４５９の正荷電又は負電荷ｓｃＦｖリンカーのいずれかである、
組成物。
【請求項２】
前記抗ＣＤ３ｓｃＦｖが、ＧＫＰＧＳＧＫＰＧＳＧＫＰＧＳＧＫＰＧＳである、請求項１に記載の組成物。
【請求項３】
請求項１又は２に記載の抗ＣＤ３ｓｃＦｖをコードする核酸を備える、核酸組成物。
【請求項４】
請求項３に記載の核酸を備える発現ベクター。
【請求項５】
請求項４に記載の発現ベクターを備える宿主細胞。
【請求項６】
抗ＣＤ３ｓｃＦｖが発現する条件下で請求項５に記載の宿主細胞を培養することと、
前記抗ＣＤ３ｓｃＦｖを回収することと、
を含む、抗ＣＤ３ｓｃＦｖの製造方法。
【請求項７】
ａ）第一のモノマーと、
ｂ）第二の重鎖ドメインと、
ｃ）第一の軽鎖と、
を備えるヘテロ二量体抗体であって、
前記ａ）第一のモノマーが、
ｉ）第一のＦｃドメインと、
ｉｉ）配列番号３９８からなる第一の可変軽鎖ドメインにｓｃＦｖリンカーによって結合された配列番号３９７からなる第一の可変重鎖ドメインを備える抗ＣＤ３ｓｃＦｖであって、前記ｓｃＦｖリンカーが、配列番号４４１から４５９の正荷電又は負電荷ｓｃＦｖリンカーのいずれかである、抗ＣＤ３ｓｃＦｖと、
を備え、
前記ｂ）第二の重鎖ドメインが、
ｉ）第二のＦｃドメインと、
ｉｉ）第二の可変重鎖と、
を備え、
前記第一の軽鎖が、第二の可変軽鎖ドメインを備え、
前記第一及び第二のＦｃドメインが異なる、
ヘテロ二量体抗体。
【請求項８】
前記ｓｃＦｖリンカーが、ＧＫＰＧＳＧＫＰＧＳＧＫＰＧＳＧＫＰＧＳである、請求項７に記載のヘテロ二量体抗体。
【請求項９】
ａ）請求項７又は８に記載の第一のモノマーをコードする第一の核酸と、
ｂ）請求項７又は８に記載の第二のモノマーをコードする第二の核酸と、
ｃ）請求項７又は８に記載の軽鎖をコードする第三の核酸と、
を備える、核酸組成物。
【請求項１０】
ａ）前記第一の核酸を備える第一の発現ベクターと、
ｂ）前記第二の核酸を備える第二の発現ベクターと、
ｃ）前記第三の核酸を備える第三の発現ベクターと、
を備える、請求項９に記載の核酸組成物。
【請求項１１】
請求項１０に記載の核酸組成物を備える宿主細胞。
【請求項１２】
前記核酸が発現する条件下で請求項１１に記載の宿主細胞を培養することと、
前記組成物を回収することと、
を含む組成物の製造方法。
【請求項１３】
治療における使用のための請求項７又は８に記載のヘテロ二量体抗体。
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
遊技者にとって有利度が異なる複数の設定値のうちいずれかの設定値に設定可能な設定手段と、
前記設定手段によって設定された設定値にもとづいて前記有利状態に関する制御を実行可能な遊技制御手段と、
前記遊技制御手段により制御され、少なくとも前記可変表示を行うことが可能な可変表示部を含む情報表示部と、
複数種類の演出態様のうちいずれかの演出態様により所定演出を実行可能な所定演出実行手段と、を備え、
前記所定演出の演出態様は、前記有利状態に制御されることの示唆を行う特別態様と、設定に関する示唆を行う特定態様とを含み、
前記所定演出実行手段は、
前記所定演出を複数回実行可能であり、
複数回のうち第１回数において前記所定演出を実行するときと、複数回のうち前記第１回数よりも後の第２回数において前記所定演出を実行するときとで、前記特定態様の所定演出を同一の割合で実行可能であり、
特定条件が成立したときに前記設定手段による設定値の設定を行うことが可能な設定状態に移行し、所定のエラーが発生した場合は、該所定のエラーが発生したことを特定可能な特殊表示を前記情報表示部において行うことが可能である、
ことを特徴とする遊技機。
【手続補正２】
【補正対象書類名】明細書
【補正対象項目名】０００６
【補正方法】変更
【補正の内容】
【０００６】
手段１の遊技機は、
識別情報の可変表示を行い、遊技者にとって有利な有利状態（例えば、大当り遊技状態）に制御可能な遊技機（例えば、パチンコ遊技機１）であって、
遊技者にとって有利度が異なる複数の設定値（例えば、設定値１〜６）のうちいずれかの設定値に設定可能な設定手段と、
前記設定手段によって設定された設定値にもとづいて前記有利状態に関する制御を実行可能な遊技制御手段と、
前記遊技制御手段により制御され、少なくとも前記可変表示を行うことが可能な可変表示部を含む情報表示部と、
複数種類の演出態様のうちいずれかの演出態様により所定演出を実行可能な所定演出実行手段（例えば、演出制御用ＣＰＵ１２０が、可変表示中演出として、パターンＰＴ−１〜ＰＴ−７のいずれかに基づく設定示唆、またはパターンＰＴ−８やＰＴ−９に基づくリーチ予告を実行可能な部分）と、を備え、
前記所定演出の演出態様は、前記有利状態に制御されることの示唆を行う特別態様（例えば、特別パターンであるパターンＰＴ−８またはパターンＰＴ−９に基づくリーチ予告）と、設定に関する示唆を行う特定態様（例えば、特定パターンであるパターンＰＴ−１〜ＰＴ−７のいずれかに基づく設定示唆）とを含み、
前記所定演出実行手段は、
前記所定演出を複数回実行可能であり（例えば、実施例３に示すように、リーチ演出を開始する前の第１期間と第２期間とで可変表示中演出を実行可能な部分）、
複数回のうち第１回数において前記所定演出を実行するときと、複数回のうち前記第１回数よりも後の第２回数において前記所定演出を実行するときとで、前記特定態様の所定演出を同一の割合で実行可能であり（例えば、実施例３として図８−２７に示すように、演出制御用ＣＰＵ１２０が、第１期間にて可変表示中演出を実行する場合と該第１期間よりも後の第２期間にて可変表示中演出を実行する場合とで、設定示唆を同一の割合で実行する部分）、
特定条件が成立したときに前記設定手段による設定値の設定を行うことが可能な設定状態に移行し、所定のエラーが発生した場合は、該所定のエラーが発生したことを特定可能な特殊表示を前記情報表示部において行うことが可能である、
ことを特徴としている。
この特徴によれば、特定態様の所定演出が第１回数と第２回数のいずれで実行された場合でも、特定態様の所定演出の実行に対して同じように期待することができる。
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
遊技者にとって有利度が異なる複数の設定値のうちいずれかの設定値に設定可能な設定手段と、
前記設定手段によって設定された設定値にもとづいて前記有利状態に関する制御を実行可能な遊技制御手段と、
前記遊技制御手段により制御され、少なくとも前記可変表示を行うことが可能な可変表示部を含む情報表示部と、
複数種類の演出態様のうちいずれかの演出態様により所定演出を実行可能な所定演出実行手段と、を備え、
前記所定演出の演出態様は、前記有利状態に制御されることの示唆を行う特別態様と、設定に関する示唆を行う特定態様とを含み、
前記所定演出実行手段は、
前記所定演出を複数回実行可能であり、
前記複数の設定値のうち第１設定値に設定されているときと、前記複数の設定値のうち前記第１設定値とは異なる第２設定値に設定されているときとで、複数回のうち所定回数目において異なる割合で前記特定態様の所定演出を実行可能であり、
特定条件が成立したときに前記設定手段による設定値の設定を行うことが可能な設定状態に移行し、所定のエラーが発生した場合は、該所定のエラーが発生したことを特定可能な特殊表示を前記情報表示部において行うことが可能である、
ことを特徴とする遊技機。
【手続補正２】
【補正対象書類名】明細書
【補正対象項目名】０００６
【補正方法】変更
【補正の内容】
【０００６】
手段１の遊技機は、
識別情報の可変表示を行い、遊技者にとって有利な有利状態（例えば、大当り遊技状態）に制御可能な遊技機（例えば、パチンコ遊技機１）であって、
遊技者にとって有利度が異なる複数の設定値（例えば、設定値１〜６）のうちいずれかの設定値に設定可能な設定手段と、
前記設定手段によって設定された設定値にもとづいて前記有利状態に関する制御を実行可能な遊技制御手段と、
前記遊技制御手段により制御され、少なくとも前記可変表示を行うことが可能な可変表示部を含む情報表示部と、
複数種類の演出態様のうちいずれかの演出態様により所定演出を実行可能な所定演出実行手段（例えば、演出制御用ＣＰＵ１２０が、可変表示中演出として、パターンＰＴ−１〜ＰＴ−７のいずれかに基づく設定示唆、またはパターンＰＴ−８やＰＴ−９に基づくリーチ予告を実行可能な部分）と、を備え、
前記所定演出の演出態様は、前記有利状態に制御されることの示唆を行う特別態様（例えば、特別パターンであるパターンＰＴ−８またはパターンＰＴ−９に基づくリーチ予告）と、設定に関する示唆を行う特定態様（例えば、特定パターンであるパターンＰＴ−１〜ＰＴ−７のいずれかに基づく設定示唆）とを含み、
前記所定演出実行手段は、
前記所定演出を複数回実行可能であり（例えば、リーチ演出を開始する前の第１期間と第２期間とで可変表示中演出を実行可能な部分）、
前記複数の設定値のうち第１設定値に設定されているときと、前記複数の設定値のうち前記第１設定値とは異なる第２設定値に設定されているときとで、複数回のうち所定回数目において異なる割合で前記特定態様の所定演出を実行可能であり（例えば、実施例３として図８−２７に示すように、演出制御用ＣＰＵ１２０が、第１期間にて可変表示中演出を実行する場合は、設定されている設定値に応じて異なる割合にてパターンＰＴ−１〜ＰＴ−７のいずれかに基づく設定示唆を実行可能な部分）、
特定条件が成立したときに前記設定手段による設定値の設定を行うことが可能な設定状態に移行し、所定のエラーが発生した場合は、該所定のエラーが発生したことを特定可能な特殊表示を前記情報表示部において行うことが可能である、
ことを特徴としている。
この特徴によれば、第１設定値と第２設定値のいずれに設定されているかによって、所定回数目における特定態様の所定演出の出現状況が変わるため、所定演出が単調となることを抑制できる。
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
複数の設定値のうちいずれかに設定可能であり、設定された設定値に応じて異なる割合で遊技者にとって有利な有利状態に制御可能な遊技機であって、
遊技者にとっての有利度合いの異なる複数種類の前記有利状態があり、
前記有利状態に制御されることを示唆する特定演出を実行可能な特定演出実行手段を備え、
前記特定演出実行手段は、設定値が第１設定値であるときの前記特定演出の実行割合と、設定値が前記第１設定値とは異なる第２設定値であるときの前記特定演出の実行割合と、が同一または略同一の範囲内となるように前記特定演出を実行し、
制御される前記有利状態の種類毎に前記特定演出の実行割合を設定値に応じて異ならせる、
ことを特徴とする遊技機。
【手続補正２】
【補正対象書類名】明細書
【補正対象項目名】０００６
【補正方法】変更
【補正の内容】
【０００６】
（１）上記目的を達成するため、本願発明に係る遊技機は、
複数の設定値（例えば設定値１〜３あるいは設定値１〜６等）のうちいずれかに設定可能であり、設定された設定値に応じて異なる割合で遊技者にとって有利な有利状態（例えば大当り遊技状態）に制御可能な遊技機（例えば特徴部５３ＡＫに係るパチンコ遊技機１）であって、
遊技者にとっての有利度合いの異なる複数種類の前記有利状態があり、
前記有利状態に制御されることを示唆する特定演出（例えば予告Ｘ、予告Ｙ、予告Ｚ等）を実行可能な特定演出実行手段を備え、
前記特定演出実行手段は、設定値が第１設定値であるときの前記特定演出の実行割合と、設定値が前記第１設定値とは異なる第２設定値であるときの前記特定演出の実行割合と、が同一または略同一の範囲内となるように前記特定演出を実行し（例えば図９−１（Ｂ）、（Ｃ）、図９−２〜図９−３）、
制御される前記有利状態の種類毎に前記特定演出の実行割合を設定値に応じて異ならせる、
ことを特徴とする遊技機。
このような構成によれば、設定値によらず共通の実行割合で特定演出を実行できるので、遊技の興趣が向上する。
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
遊技者にとって有利度が異なる複数の設定値のうちいずれかの設定値に設定可能な設定手段と、
前記設定手段によって設定された設定値にもとづいて前記有利状態に関する制御を実行可能な遊技制御手段と、
前記遊技制御手段により制御され、少なくとも前記可変表示を行うことが可能な可変表示部を含む情報表示部と、
複数種類の演出態様のうちいずれかの演出態様により所定演出を実行可能な所定演出実行手段と、を備え、
前記所定演出の演出態様は、前記有利状態に制御されることの示唆を行う特別態様と、設定に関する示唆を行う特定態様とを含み、
前記所定演出実行手段は、
前記所定演出を複数回実行可能であり、
前記複数の設定値のうち第１設定値に設定されているときと、前記複数の設定値のうち前記第１設定値とは異なる第２設定値に設定されているときとで、複数回のうち所定回数目において同一の割合で前記特定態様の所定演出を実行可能であり、
特定条件が成立したときに前記設定手段による設定値の設定を行うことが可能な設定状態に移行し、所定のエラーが発生した場合は、該所定のエラーが発生したことを特定可能な特殊表示を前記情報表示部において行うことが可能である、
ことを特徴とする遊技機。
【手続補正２】
【補正対象書類名】明細書
【補正対象項目名】０００６
【補正方法】変更
【補正の内容】
【０００６】
手段１の遊技機は、
識別情報の可変表示を行い、遊技者にとって有利な有利状態（例えば、大当り遊技状態）に制御可能な遊技機（例えば、パチンコ遊技機１）であって、
遊技者にとって有利度が異なる複数の設定値（例えば、設定値１〜６）のうちいずれかの設定値に設定可能な設定手段と、
前記設定手段によって設定された設定値にもとづいて前記有利状態に関する制御を実行可能な遊技制御手段と、
前記遊技制御手段により制御され、少なくとも前記可変表示を行うことが可能な可変表示部を含む情報表示部と、
複数種類の演出態様のうちいずれかの演出態様により所定演出を実行可能な所定演出実行手段（例えば、演出制御用ＣＰＵ１２０が、可変表示中演出として、パターンＰＴ−１〜ＰＴ−７のいずれかに基づく設定示唆、またはパターンＰＴ−８やＰＴ−９に基づくリーチ予告を実行可能な部分）と、を備え、
前記所定演出の演出態様は、前記有利状態に制御されることの示唆を行う特別態様（例えば、特別パターンであるパターンＰＴ−８またはパターンＰＴ−９に基づくリーチ予告）と、設定に関する示唆を行う特定態様（例えば、特定パターンであるパターンＰＴ−１〜ＰＴ−７のいずれかに基づく設定示唆）とを含み、
前記所定演出実行手段は、
前記所定演出を複数回実行可能であり（例えば、実施例２として図８−２１に示すように、リーチ演出を開始する前の第１期間と第２期間とで可変表示中演出を実行可能な部分）、
前記複数の設定値のうち第１設定値に設定されているときと、前記複数の設定値のうち前記第１設定値とは異なる第２設定値に設定されているときとで、複数回のうち所定回数目において同一の割合で前記特定態様の所定演出を実行可能であり（例えば、実施例２として図８−２２に示すように、第１期間に実行する可変表示中演出についてはパチンコ遊技機１に設定されている設定値にかかわらず設定示唆を６０％の割合で実行し、第２期間に実行する可変表示中演出についてはパチンコ遊技機１に設定されている設定値にかかわらず設定示唆を４０％の割合で実行する部分）、
特定条件が成立したときに前記設定手段による設定値の設定を行うことが可能な設定状態に移行し、所定のエラーが発生した場合は、該所定のエラーが発生したことを特定可能な特殊表示を前記情報表示部において行うことが可能である、
ことを特徴としている。
この特徴によれば、第１設定値と第２設定値のいずれに設定されている場合でも、所定回数目における特定態様の所定演出の出現状況は変わらないため、特定態様の所定演出の実行に対して同じように期待することができる。
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
遊技者にとって有利度が異なる複数の設定値のうちいずれかの設定値に設定可能な設定手段と、
前記設定手段によって設定された設定値にもとづいて前記有利状態に関する制御を実行可能な遊技制御手段と、
前記遊技制御手段により制御され、少なくとも前記可変表示を行うことが可能な可変表示部を含む情報表示部と、
複数の可変表示パターンのうちから一の可変表示パターンを決定可能な可変表示パターン決定手段と、
決定された可変表示パターンにより可変表示を実行可能な可変表示手段と、
複数種類の演出態様のうちいずれかの演出態様により所定演出を実行可能である所定演出実行手段と、を備え、
前記所定演出の演出態様は、前記有利状態に制御されることの示唆を行う特別態様と、設定に関する示唆を行う特定態様とを含み、
前記所定演出実行手段は、
前記所定演出を複数回実行可能であり、
少なくとも設定されている前記設定値にもとづく演出態様にて、複数回のうち第１回数において前記所定演出を実行し、
少なくとも前記可変表示パターン決定手段により決定された可変表示パターンにもとづく演出態様にて、複数回のうち前記第１回数より後の第２回数において前記所定演出を実行し、
特定条件が成立したときに前記設定手段による設定値の設定を行うことが可能な設定状態に移行し、所定のエラーが発生した場合は、該所定のエラーが発生したことを特定可能な特殊表示を前記情報表示部において行うことが可能である、
ことを特徴とする遊技機。
【手続補正２】
【補正対象書類名】明細書
【補正対象項目名】０００６
【補正方法】変更
【補正の内容】
【０００６】
手段１の遊技機は、
識別情報の可変表示を行い、遊技者にとって有利な有利状態（例えば、大当り遊技状態）に制御可能な遊技機（例えば、パチンコ遊技機１）であって、
遊技者にとって有利度が異なる複数の設定値（例えば、設定値１〜６）のうちいずれかの設定値に設定可能な設定手段と、
前記設定手段によって設定された設定値にもとづいて前記有利状態に関する制御を実行可能な遊技制御手段と、
前記遊技制御手段により制御され、少なくとも前記可変表示を行うことが可能な可変表示部を含む情報表示部と、
複数の可変表示パターンのうちから一の可変表示パターンを決定可能な可変表示パターン決定手段（例えば、ＣＰＵ１０３が、ステップＳ１１１の変動パターン設定処理において、表示結果を「大当り」または「小当り」とするか否かの事前決定結果等に基づき、変動パターン決定用の乱数値を用いて変動パターンを複数種類のいずれかに決定する部分）と、
決定された可変表示パターンにより可変表示を実行可能な可変表示手段（例えば、演出制御用ＣＰＵ１２０が、可変表示中演出処理において、演出制御コマンドにより特定される表示結果や変動パターンに基づいて飾り図柄の可変表示を実行する部分）と、
複数種類の演出態様のうちいずれかの演出態様により所定演出を実行可能である所定演出実行手段（例えば、演出制御用ＣＰＵ１２０が、可変表示中演出として、パターンＰＴ−１〜ＰＴ−７のいずれかに基づく設定示唆、またはパターンＰＴ−８やＰＴ−９に基づくリーチ予告を実行可能な部分）と、を備え、
前記所定演出の演出態様は、前記有利状態に制御されることの示唆を行う特別態様（例えば、特別パターンであるパターンＰＴ−８またはパターンＰＴ−９に基づくリーチ予告）と、設定に関する示唆を行う特定態様（例えば、特定パターンであるパターンＰＴ−１〜ＰＴ−７のいずれかに基づく設定示唆）とを含み、
前記所定演出実行手段は、
前記所定演出を複数回実行可能であり（例えば、実施例４として図８−３２示すように、リーチ演出を開始する前の第１期間と第２期間とで可変表示中演出を実行可能な部分）、
少なくとも設定されている前記設定値にもとづく演出態様にて、複数回のうち第１回数において前記所定演出を実行し（例えば、実施例４として図８−３３に示すように、演出制御用ＣＰＵ１２０が、第１期間における可変表示中演出において、設定されている設定値にもとづいて可変表示中演出の演出種別を決定する部分）、
少なくとも前記可変表示パターン決定手段により決定された可変表示パターンにもとづく演出態様にて、複数回のうち前記第１回数より後の第２回数において前記所定演出を実行し（例えば、実施例４として図８−３３に示すように、演出制御用ＣＰＵ１２０が、第２期間における可変表示中演出において設定されている設定値と変動パターンとにもとづいて可変表示中演出の演出種別を決定する部分）、
特定条件が成立したときに前記設定手段による設定値の設定を行うことが可能な設定状態に移行し、所定のエラーが発生した場合は、該所定のエラーが発生したことを特定可能な特殊表示を前記情報表示部において行うことが可能である、
ことを特徴としている。
この特徴によれば、第１回数と第２回数とで所定演出の演出態様を決定する際の判断基準が異なるため、所定演出が単調になることを抑制できる。